(57)【要約】【課題】受信側に関連付けられた観測対象の位置情報に基づいて情報配信できるようにする。【解決手段】測位ノード９０３ａ〜９０３ｃは、基地局９０６ａ〜９０６ｃにおける観測対象９０５ａ〜９０５ｃをそれぞれ検出した場合、観測対象９０５ａ〜９０５ｃの識別子をそれぞれ取得し、観測対象９０５ａ〜９０５ｃの識別子をそれぞれ情報配信サーバ９０２に随時通知し、情報配信サーバ９０２は、測位ノード９０３ａ〜９０３ｃにてそれぞれ検出された観測対象９０５ａ〜９０５ｃに関連付けられた携帯端末９０１がある場合、その観測対象９０５ａ〜９０５ｃに関する情報を検索し、その観測対象９０５ａ〜９０５ｃに関する情報を通信ネットワーク９０４を介して携帯端末９０１に配信する。【選択図】      図１
2008187225.tif 000002
【特許請求の範囲】
【請求項１】
検出エリア内の観測対象を検知する観測対象検知部と、
前記観測対象検知部にて検知された観測対象の位置情報を前記観測対象の識別情報とともに相手に通知する通信部とを備えることを特徴とする位置検出ノード。
【請求項２】
観測対象に付随する自己の位置を測位する位置情報測位部と、
前記位置情報測位部にて測位された自己の位置情報を前記観測対象の識別情報とともに相手に通知する通信部とを備えることを特徴とする測位ノード。
【請求項３】
観測対象の位置情報を受信する通信部と、
前記観測対象の位置情報を保持する位置情報保持部と、
前記観測対象と関連付けられた携帯端末に関する情報を保持する携帯端末情報保持部と、
前記観測対象に関する情報を前記観測対象と関連付けられた携帯端末に配信する情報配信部とを備えることを特徴とする情報配信装置。
【請求項４】
前記観測対象の位置情報が前記通信部にて受信されると、前記情報配信部は、前記観測対象と関連付けられた携帯端末に関する情報を前記携帯端末情報保持部から取得し、前記観測対象の位置情報に応じた情報を前記携帯端末に配信することを特徴とする請求項３記載の情報配信装置。
【請求項５】
前記観測対象の位置情報が前記携帯端末から要求されると、前記情報配信部は、最新の観測対象の位置情報を前記位置情報保持部から取得し、前記観測対象の位置情報およびその位置情報に応じた情報を前記携帯端末に配信することを特徴とする請求項３記載の情報配信装置。
【請求項６】
前記情報配信部は、観測対象の位置情報の特定の期間の履歴を前記位置情報保持部から取得し、前記観測対象と関連付けられた携帯端末に関する情報を前記携帯端末情報保持部から取得し、前記観測対象の位置情報の特定の期間の履歴に応じた情報を前記携帯端末に配信することを特徴とする請求項３記載の情報配信装置。
【請求項７】
検出エリア内で検知された観測対象の位置情報を前記観測対象の識別情報とともに通知する位置検出ノードと、
前記位置検出ノードから通知された観測対象の位置情報に応じた情報を前記観測対象と関連付けられた携帯端末に配信する情報配信サーバと、
前記情報配信サーバと通信ネットワークを介して接続され、前記情報配信サーバから配信された情報を受信する携帯端末とを備えることを特徴とする情報配信システム。
【請求項８】
測位した自己の位置情報をそこに付随する観測対象の識別情報とともに通知する測位ノードと、
前記測位ノードから通知された位置情報に応じた情報を前記観測対象と関連付けられた携帯端末に配信する情報配信サーバと、
前記情報配信サーバと通信ネットワークを介して接続され、前記情報配信サーバから配信された情報を受信する携帯端末とを備えることを特徴とする情報配信システム。
【請求項９】
検出エリア内の観測対象を位置検出ノードにて検知するステップと、
前記位置検出ノードにて検知された観測対象の位置情報を前記観測対象の識別情報とともに情報配信サーバに通知するステップと、
前記情報配信サーバは、前記位置検出ノードから通知された観測対象の位置情報に応じた情報を前記観測対象と関連付けられた携帯端末に配信するステップとを備えることを特徴とする情報配信方法。
【請求項１０】
自己の位置を測位ノードにて測位するステップと、
前記測位ノードにて測位された自己の位置情報をそこに付随する観測対象の識別情報とともに情報配信サーバに通知するステップと、
前記情報配信サーバは、前記測位ノードから通知された位置情報に応じた情報を前記観測対象と関連付けられた携帯端末に配信するステップとを備えることを特徴とする情報配信方法。
【発明の詳細な説明】
【技術分野】
【０００１】
本発明は位置検出ノード、測位ノード、情報配信装置、情報配信システムおよび情報配信方法に関し、特に、観測対象の位置情報に基づいて、その観測対象と関連付けられている携帯端末に情報配信を行う方法に適用して好適なものである。
【背景技術】
【０００２】
近年では、携帯端末を利用した情報配信が普及している。特に、携帯端末のＩＤ性や携帯性を利用することで、ユーザごとにカスタマイズされた広告情報などを効率的に配信する仕組みが注目されている。
例えば、携帯端末のユーザ情報や位置情報を用いることで、店舗における特売品やイベントに関する情報を、ある特定のユーザやある特定のエリアの携帯端末に配信する方法では、広告チラシを配布する方法と比較して、リアルタイムで直接的に広告情報を顧客に提供することができる。
【０００３】
例えば、特許文献１には、携帯端末のユーザ情報や位置情報に基づいて、複数の提供情報からユーザに応じた特定の情報を検索することで、ユーザに特別の操作を要求することなく、各ユーザの移動通信端末に対して、ユーザの希望に合致する情報を的確に配信する方法が開示されている。
また、特許文献２には、ＧＰＳ受信機能を備えた携帯電話端末の位置情報を収集し、その位置情報に基づいて特定のエリアに存在する携帯電話端末を特定し、その特定した携帯電話端末の使用者に関する情報から広告メッセージを配信するかどうかを決定し、選択的に広告メッセージを配信できるようにすることで、携帯電話端末の利用者の興味を引く広告を即時的に行う方法が開示されている。
【０００４】
その一方で、学童の登下校時の移動ルートなどの特定のエリア内を監視する移動体監視システムの開発が進行している。
例えば、特許文献３には、無線発信装置が発信する無線発信装置識別情報を受信装置が受信し、この受信した無線発信装置識別情報と、受信装置を識別するための受信装置識別情報とを移動体監視装置に送信し、受信装置の位置情報に基づいて、無線発信装置の移動ルートを監視する方法が開示されている。
【特許文献１】特開２００１−３３９３５８号公報
【特許文献２】特開２００１−３５９１６６号公報
【特許文献３】特開２００５−３２８３９２号公報
【発明の開示】
【発明が解決しようとする課題】
【０００５】
しかしながら、特許文献１、２に開示された方法では、情報受信者本人の位置情報に基づいた情報配信しかできず、例えば、情報受信者の子供の位置情報に基づいた情報配信や、情報受信者の車の位置情報に基づいた情報配信などの他の観測対象の位置情報に基づいた情報配信ができないという問題があった。
また、特許文献３に開示された方法では、観測対象の位置情報を取得するのみであり、観測対象の位置情報に基づいた情報配信ができないという問題があった。
そこで、本発明の目的は、受信側に関連付けられた観測対象の位置情報に基づいて情報配信することが可能な位置検出ノード、測位ノード、情報配信装置、情報配信システムおよび情報配信方法を提供することである。
【課題を解決するための手段】
【０００６】
上述した課題を解決するために、請求項１記載の位置検出ノードによれば、検出エリア内の観測対象を検知する観測対象検知部と、前記観測対象検知部にて検知された観測対象の位置情報を前記観測対象の識別情報とともに相手に通知する通信部とを備えることを特徴とする。
これにより、検出エリア内の観測対象を検知することで、観測対象の位置を特定することが可能となり、情報受信者本人以外の位置情報を情報受信者に通知することが可能となる。
【０００７】
また、請求項２記載の測位ノードによれば、観測対象に付随する自己の位置を測位する位置情報測位部と、前記位置情報測位部にて測位された自己の位置情報を前記観測対象の識別情報とともに相手に通知する通信部とを備えることを特徴とする。
これにより、自己の位置を測位することで、自分以外の観測対象の位置を特定することが可能となり、情報受信者本人以外の位置情報を情報受信者に通知することが可能となる。
【０００８】
また、請求項３記載の情報配信装置によれば、観測対象の位置情報を受信する通信部と、前記観測対象の位置情報を保持する位置情報保持部と、前記観測対象と関連付けられた携帯端末に関する情報を保持する携帯端末情報保持部と、前記観測対象に関する情報を前記観測対象と関連付けられた携帯端末に配信する情報配信部とを備えることを特徴とする。
これにより、情報受信者本人以外の他の観測対象の位置情報に基づいた情報を情報受信者に配信することが可能となり、情報受信者は情報受信者本人以外に関連する情報を取得することが可能となる。
【０００９】
また、請求項４記載の情報配信装置によれば、前記観測対象の位置情報が前記通信部にて受信されると、前記情報配信部は、前記観測対象と関連付けられた携帯端末に関する情報を前記携帯端末情報保持部から取得し、前記観測対象の位置情報に応じた情報を前記携帯端末に配信することを特徴とする。
これにより、情報受信者本人以外の他の観測対象の位置情報に基づいた情報を情報受信者にリアルタイムに配信することが可能となり、情報受信者は情報受信者本人以外に関連する情報を迅速に取得することが可能となる。
【００１０】
また、請求項５記載の情報配信装置によれば、前記観測対象の位置情報が前記携帯端末から要求されると、前記情報配信部は、最新の観測対象の位置情報を前記位置情報保持部から取得し、前記観測対象の位置情報およびその位置情報に応じた情報を前記携帯端末に配信することを特徴とする。
これにより、情報受信者本人以外の他の観測対象の位置情報に基づいた情報を情報受信者の要求に応じて配信することが可能となり、情報受信者は情報受信者本人以外に関連する情報を必要に応じて取得することが可能となる。
【００１１】
また、請求項６記載の情報配信装置によれば、前記情報配信部は、観測対象の位置情報の特定の期間の履歴を前記位置情報保持部から取得し、前記観測対象と関連付けられた携帯端末に関する情報を前記携帯端末情報保持部から取得し、前記観測対象の位置情報の特定の期間の履歴に応じた情報を前記携帯端末に配信することを特徴とする。
これにより、情報受信者本人以外の他の観測対象の位置情報に基づいた情報の履歴を配信することが可能となり、情報受信者は情報受信者本人以外に関連する情報をまとめて取得することが可能となる。
【００１２】
また、請求項７記載の情報配信システムによれば、検出エリア内で検知された観測対象の位置情報を前記観測対象の識別情報とともに通知する位置検出ノードと、前記位置検出ノードから通知された観測対象の位置情報に応じた情報を前記観測対象と関連付けられた携帯端末に配信する情報配信サーバと、前記情報配信サーバと通信ネットワークを介して接続され、前記情報配信サーバから配信された情報を受信する携帯端末とを備えることを特徴とする。
これにより、検出エリア内の観測対象を検知することで、情報受信者本人以外の位置情報を情報配信サーバに通知することが可能となるとともに、情報受信者本人以外の他の観測対象の位置情報に基づいた情報を情報配信サーバから情報受信者に配信することが可能となり、情報受信者は情報受信者本人以外に関連する情報を取得することが可能となる。
【００１３】
また、請求項８記載の情報配信システムによれば、測位した自己の位置情報をそこに付随する観測対象の識別情報とともに通知する測位ノードと、前記測位ノードから通知された位置情報に応じた情報を前記観測対象と関連付けられた携帯端末に配信する情報配信サーバと、前記情報配信サーバと通信ネットワークを介して接続され、前記情報配信サーバから配信された情報を受信する携帯端末とを備えることを特徴とする。
これにより、自己の位置を測位することで、情報受信者本人以外の位置情報を情報配信サーバに通知することが可能となるとともに、情報受信者本人以外の他の観測対象の位置情報に基づいた情報を情報配信サーバから情報受信者に配信することが可能となり、情報受信者は情報受信者本人以外に関連する情報を取得することが可能となる。
【００１４】
また、請求項９記載の情報配信方法によれば、検出エリア内の観測対象を位置検出ノードにて検知するステップと、前記位置検出ノードにて検知された観測対象の位置情報を前記観測対象の識別情報とともに情報配信サーバに通知するステップと、前記情報配信サーバは、前記位置検出ノードから通知された観測対象の位置情報に応じた情報を前記観測対象と関連付けられた携帯端末に配信するステップとを備えることを特徴とする。
これにより、検出エリア内の観測対象を検知することで、情報受信者本人以外の位置情報を情報配信サーバに通知することが可能となるとともに、情報受信者本人以外の他の観測対象の位置情報に基づいた情報を情報配信サーバから情報受信者に配信することが可能となる。このため、情報受信者は情報受信者本人以外に関連する情報を取得することが可能となり、例えば、自分の子供が興味ある情報や、自分の妻が欲しがっている物の情報などを取得することが可能となる。
【００１５】
また、請求項１０記載の情報配信方法によれば、自己の位置を測位ノードにて測位するステップと、前記測位ノードにて測位された自己の位置情報をそこに付随する観測対象の識別情報とともに情報配信サーバに通知するステップと、前記情報配信サーバは、前記測位ノードから通知された位置情報に応じた情報を前記観測対象と関連付けられた携帯端末に配信するステップとを備えることを特徴とする。
これにより、自己の位置を測位することで、情報受信者本人以外の位置情報を情報配信サーバに通知することが可能となるとともに、情報受信者本人以外の他の観測対象の位置情報に基づいた情報を情報配信サーバから情報受信者に配信することが可能となり、情報受信者は情報受信者本人以外に関連する情報を取得することが可能となる。
【発明の効果】
【００１６】
以上説明したように、本発明によれば、情報受信者本人以外の他の観測対象の位置情報に基づいた情報を情報受信者に配信することが可能となり、情報受信者は情報受信者本人以外に関連する情報を取得することが可能となる。
【発明を実施するための最良の形態】
【００１７】
以下、本発明の実施形態に係る情報配信システムについて図面を参照しながら説明する。
図１は、本発明の第１実施形態に係る情報配信システムの概略構成を示すブロック図である。
図１において、位置検出ノード１０３ａ〜１０３ｃにはそれぞれ検出エリア１０６ａ〜１０６ｃが設けられ、位置検出ノード１０３ａ〜１０３ｃは、この検出エリア１０６ａ〜１０６ｃに入った観測対象１０５ａ〜１０５ｃとそれぞれ通信を確立することができる。
【００１８】
そして、位置検出ノード１０３ａ〜１０３ｃは情報配信サーバ１０２に接続され、情報配信サーバ１０２は通信ネットワーク１０４に接続されている。
また、携帯端末１０１は、基地局１０７を介して通信ネットワーク１０４に接続することができ、通信ネットワーク１０４を介して情報配信サーバ１０２と通信を行うことができる。
【００１９】
なお、観測対象１０５ａ〜１０５ｃとしては、その存在位置を検出可能で持ち運び可能な物品であって、例えば、ＲＦＩＤ（Ｒａｄｉｏ  ｆｒｅｑｕｅｎｃｙ  ｉｄｅｎｔｉｆｉｃａｔｉｏｎ）タグやＩＣタグなどの無線タグ、非接触ＩＣカード、携帯電話機、自動車電話機、ＰＨＳなどを挙げることができる。また、位置検出ノード１０３ａ〜１０３ｃとしては、例えば、タグリーダやカードリーダなどの受信局や移動体通信網を構成する基地局などを挙げることができる。また、通信ネットワーク１０４としては、例えば、インターネットや公衆電話網やＬＡＮなどを挙げることができる。また、携帯端末１０１としては、例えば、携帯電話機やＰＤＡ（Ｐｅｒｓｏｎａｌ  Ｄｉｇｉｔａｌ  Ａｓｓｉｓｔａｎｔ）やノート型パーソナルコンピュータなどを用いることができる。
【００２０】
そして、携帯端末１０１は通信ネットワーク１０４を介して情報配信サーバ１０２と通信を行うことで、特定の観測対象１０５ａ〜１０５ｃの位置情報を要求する。そして、情報配信サーバ１０２は、特定の観測対象１０５ａ〜１０５ｃの位置情報が携帯端末１０１から要求されると、位置検出ノード１０３ａ〜１０３ｃと通信を行うことで、位置検出ノード１０３ａ〜１０３ｃに観測対象１０５ａ〜１０５ｃの位置情報をそれぞれ要求する。そして、位置検出ノード１０３ａ〜１０３ｃは、観測対象１０５ａ〜１０５ｃの位置情報が情報配信サーバ１０２から要求されると、検出エリア１０６ａ〜１０６ｃにおける観測対象１０５ａ〜１０５ｃをそれぞれ検出し、観測対象１０５ａ〜１０５ｃの識別子をそれぞれ取得する。
【００２１】
そして、位置検出ノード１０３ａ〜１０３ｃは、観測対象１０５ａ〜１０５ｃの識別子をそれぞれ取得すると、観測対象１０５ａ〜１０５ｃの識別子をそれぞれ情報配信サーバ１０２に通知する。そして、情報配信サーバ１０２は、観測対象１０５ａ〜１０５ｃの識別子を位置検出ノード１０３ａ〜１０３ｃからそれぞれ受け取ると、位置検出ノード１０３ａ〜１０３ｃにてそれぞれ検出された観測対象１０５ａ〜１０５ｃの識別子と、携帯端末１０１から位置情報の要求があった特定の観測対象１０５ａ〜１０５ｃの識別子とをそれぞれ比較することで、位置検出ノード１０３ａ〜１０３ｃにてそれぞれ検出された観測対象１０５ａ〜１０５ｃが、携帯端末１０１から位置情報の要求があった特定の観測対象１０５ａ〜１０５ｃと一致しているかどうかを判断する。
【００２２】
そして、情報配信サーバ１０２は、位置検出ノード１０３ａ〜１０３ｃにてそれぞれ検出された観測対象１０５ａ〜１０５ｃが、携帯端末１０１から位置情報の要求があった特定の観測対象１０５ａ〜１０５ｃと一致している場合、その特定の観測対象１０５ａ〜１０５ｃに関する情報を検索し、その特定の観測対象１０５ａ〜１０５ｃに関する情報を通信ネットワーク１０４を介して携帯端末１０１に配信することができる。
【００２３】
あるいは、位置検出ノード１０３ａ〜１０３ｃは、検出エリア１０６ａ〜１０６ｃにおける観測対象１０５ａ〜１０５ｃをそれぞれ検出した場合、観測対象１０５ａ〜１０５ｃの識別子をそれぞれ取得し、観測対象１０５ａ〜１０５ｃの識別子をそれぞれ情報配信サーバ１０２に随時通知することができる。そして、情報配信サーバ１０２は、観測対象１０５ａ〜１０５ｃの識別子を位置検出ノード１０３ａ〜１０３ｃからそれぞれ受け取ると、位置検出ノード１０３ａ〜１０３ｃにてそれぞれ検出された観測対象１０５ａ〜１０５ｃに関連付けられた携帯端末１０１があるかどうかを調べる。そして、情報配信サーバ１０２は、位置検出ノード１０３ａ〜１０３ｃにてそれぞれ検出された観測対象１０５ａ〜１０５ｃに関連付けられた携帯端末１０１がある場合、その観測対象１０５ａ〜１０５ｃに関する情報を検索し、その観測対象１０５ａ〜１０５ｃに関する情報を通信ネットワーク１０４を介して携帯端末１０１に配信することができる。
【００２４】
なお、観測対象１０５ａ〜１０５ｃに関する情報としては、例えば、観測対象１０５ａ〜１０５ｃの位置情報の他、観測対象１０５ａ〜１０５ｃが存在するエリアにおける店舗情報や施設情報や交通情報や天気情報や広告情報や案内情報、観測対象１０５ａ〜１０５ｃが存在するエリアで発生した事件や事故に関する情報、観測対象１０５ａ〜１０５ｃが存在するエリアの画像情報などを含むことができる。
【００２５】
これにより、検出エリア１０６ａ〜１０６ｃ内の観測対象１０５ａ〜１０５ｃをそれぞれ検知することで、情報受信者本人以外の位置情報を情報配信サーバ１０２に通知することが可能となるとともに、情報受信者本人以外の他の観測対象１０５ａ〜１０５ｃの位置情報に基づいた情報を情報配信サーバ１０２から情報受信者に配信することが可能となる。このため、情報受信者は情報受信者本人以外に関連する情報を取得することが可能となり、例えば、自分の子供が興味ある情報や、自分の妻が欲しがっている物の情報などを取得することが可能となる。
【００２６】
図２は、本発明の第１実施形態に係る情報配信システムにおける携帯端末の概略構成を示すブロック図である。
図２において、携帯端末１０１には、通信ネットワーク１０４を介して情報配信サーバ１０２と通信を行う通信部２０１および通信部２０１を介して受信した観測対象１０５ａ〜１０５ｃに関する情報を表示する画面表示部２０２が設けられている。
そして、携帯端末１０１は、通信部２０１を介して観測対象１０５ａ〜１０５ｃに関する情報を受信すると、その観測対象１０５ａ〜１０５ｃに関する情報を画面表示部２０２に表示することができる。
【００２７】
図３は、本発明の第１実施形態に係る情報配信システムにおける位置検出ノードの概略構成を示すブロック図である。
図３において、位置検出ノード１０３ａ〜１０３ｃには、情報配信サーバ１０２と通信を行う通信部４０１および検出エリア１０６ａ〜１０６ｃにおける観測対象１０５ａ〜１０５ｃをそれぞれ検出する観測対象検知部４０２がそれぞれ設けられている。
そして、位置検出ノード１０３ａ〜１０３ｃは、検出エリア１０６ａ〜１０６ｃにおける観測対象１０５ａ〜１０５ｃが観測対象検知部４０２にてそれぞれ検出されると、その観測対象１０５ａ〜１０５ｃの位置情報を通信部４０１を介して情報配信サーバ１０２に通知することができる。
【００２８】
図４は、本発明の第１実施形態に係る情報配信システムにおける情報配信サーバの概略構成を示すブロック図である。
図４において、情報配信サーバ１０２には、通信ネットワーク１０４を介して携帯端末１０１と通信を行ったり、位置検出ノード１０３ａ〜１０３ｃと通信を行ったりする通信部３０１、観測対象１０５ａ〜１０５ｃの位置情報を保持する位置情報保持部３０４、観測対象１０５ａ〜１０５ｃとそれぞれ関連付けられた携帯端末１０１に関する情報を保持する携帯端末情報保持部３０３、観測対象１０５ａ〜１０５ｃに関する情報を観測対象１０５ａ〜１０５ｃとそれぞれ関連付けられた携帯端末１０１に配信する情報配信部３０２、観測対象１０５ａ〜１０５ｃの位置情報に対応するエリアを定義する位置情報定義部３０５が設けられている。
ここで、位置情報定義部３０５は、観測対象１０５ａ〜１０５ｃの位置情報に対応するエリアを定義したエリア定義表を保持することができる。
【００２９】
図１７は、本発明の一実施形態に係るエリア定義表の一例を示す図である。
図１７において、エリア定義表１７０１には、観測対象１０５ａ〜１０５ｃの位置情報に対応するエリア情報が定義されている。ここで、観測対象１０５ａ〜１０５ｃの位置情報は、検知ノード識別子や経度緯度などの数値で表すことができ、エリア情報は観測対象１０５ａ〜１０５ｃの位置を特定する地上の目印（ランドマーク）や、その土地の目印や象徴になるような建造物などで表すことができる。
【００３０】
そして、情報配信サーバ１０２は、観測対象１０５ａ〜１０５ｃの位置情報を位置検出ノード１０３ａ〜１０３ｃから受信すると、その観測対象１０５ａ〜１０５ｃの位置情報を位置情報保持部３０４に保持する。そして、情報配信部３０２は、エリア定義表１７０１を参照することにより、観測対象１０５ａ〜１０５ｃの位置情報に対応するエリア情報を検索し、そのエリア情報による条件に対応した情報を携帯端末１０１に配信することができる。
ここで、エリア情報による条件に対応した情報は配信情報表に登録することができ、情報配信部３０２は、その配信情報表を参照することで、エリア情報による条件に対応した情報を配信することができる。
【００３１】
図１８は、本発明の一実施形態に係る配信情報表の一例を示す図である。
図１８において、配信情報表１８０１には、エリア情報による条件が定義され、エリア情報による条件に従って、どのような情報を配信するかが定義された配信内容が登録されている。
例えば、特定の観測対象１０５ａ〜１０５ｃが○×デパート５Ｆに滞在した場合には、情報配信部３０２は、例えば、その○×デパートの安売り情報を携帯端末１０１に配信することができる。また、特定の観測対象１０５ａ〜１０５ｃが駅前交差点に滞在した場合には、例えば、情報配信部３０２は、その駅前交差点における事故多発情報を携帯端末１０１に配信することができる。また、特定の観測対象１０５ａ〜１０５ｃが○×駅から○×バス停まで移動した場合には、例えば、情報配信部３０２は、○×駅から○×バス停までの工事のお知らせを携帯端末１０１に配信することができる。
【００３２】
なお、情報配信部３０２は、観測対象１０５ａ〜１０５ｃに関する情報を携帯端末１０５に配信する場合、位置検出ノード１０３ａ〜１０３ｃにて観測対象１０５ａ〜１０５ｃがそれぞれ検出されるごとに、観測対象１０５ａ〜１０５ｃに関する情報を、その観測対象１０５ａ〜１０５ｃと関連付けられた携帯端末１０１に随時配信することができる。
あるいは、情報配信部３０２は、携帯端末１０１からに要求に応じて、観測対象１０５ａ〜１０５ｃに関する情報をその携帯端末１０１に随時配信するようにしてもよい。
【００３３】
あるいは、情報配信部３０２は、観測対象１０５ａ〜１０５ｃの位置の履歴に応じて、観測対象１０５ａ〜１０５ｃに関する情報を、その観測対象１０５ａ〜１０５ｃと関連付けられた携帯端末１０１に配信するようにしてもよい。
ここで、観測対象１０５ａ〜１０５ｃと関連付けられた携帯端末１０１は携帯端末／観測対象対応表に登録することができる。そして、情報配信部３０２は、携帯端末／観測対象対応表を参照することで、観測対象１０５ａ〜１０５ｃと関連付けられた携帯端末１０１を特定することができる。
また、観測対象１０５ａ〜１０５ｃの位置の履歴は検知履歴表に登録することができる。そして、情報配信部３０２は、検知履歴表を参照することで、観測対象１０５ａ〜１０５ｃの位置の履歴を取得することができる。
【００３４】
図１９は、本発明の一実施形態に係る携帯端末／観測対象対応表の一例を示す図である。
図１９において、携帯端末／観測対象対応表１９０１には、観測対象１０５ａ〜１０５ｃの識別子と携帯端末１０１の識別子との対応関係が登録されている。そして、携帯端末／観測対象対応表１９０１を参照することで、観測対象１０５ａ〜１０５ｃと関連付けられた携帯端末１０１を特定することができる。
【００３５】
図２０は、本発明の一実施形態に係る検知履歴表の一例を示す図である。
図２０において、検知履歴表２００１には、観測対象１０５ａ〜１０５ｃの識別子ごとに観測対象１０５ａ〜１０５ｃの位置情報および検出時刻が登録されている。なお、観測対象１０５ａ〜１０５ｃの位置情報は、観測対象１０５ａ〜１０５ｃを検出した位置検出ノード１０３ａ〜１０３ｃの識別子や位置検出ノード１０３ａ〜１０３ｃが配置されている経度緯度などで表すことができる。
そして、検知履歴表２００１を参照することで、観測対象１０５ａ〜１０５ｃの位置の履歴を取得することができる。
【００３６】
図５は、本発明の第１実施形態に係る情報配信システムにおける情報配信サーバによる観測対象の位置情報の記録方法を示すフローチャートである。
図５において、図１の位置検出ノード１０３ａ〜１０３ｃは、検出エリア１０６ａ〜１０６ｃにおける観測対象１０５ａ〜１０５ｃをそれぞれ検出し、観測対象１０５ａ〜１０５ｃの識別子をそれぞれ取得する（ステップＳ５０１）。
そして、位置検出ノード１０３ａ〜１０３ｃは、観測対象１０５ａ〜１０５ｃの識別子をそれぞれ取得すると、観測対象１０５ａ〜１０５ｃの識別子をそれぞれ情報配信サーバ１０２に通知する（ステップＳ５０２）。
【００３７】
そして、情報配信サーバ１０２は、観測対象１０５ａ〜１０５ｃの識別子を位置検出ノード１０３ａ〜１０３ｃからそれぞれ受け取ると、観測対象１０５ａ〜１０５ｃの識別子をその位置情報および検出時刻とともに検知履歴表２００１として位置情報保持部３０４に登録する（ステップＳ５０３）。
なお、検知履歴表２００１の更新は、位置検出ノード１０３ａ〜１０３ｃにて観測対象１０５ａ〜１０５ｃがそれぞれ検出されるごとに実行してもよいし、定期的に実行してもよい。
【００３８】
図６は、本発明の第１実施形態に係る情報配信システムにおける情報配信サーバによる情報配信方法の一例を示すフローチャートである。
図６において、情報配信サーバ１０２は、位置情報保持部３０４に保持されている検知履歴表２００１の更新を検出すると（ステップＳ６０１）、携帯端末情報保持部３０３に保持されている携帯端末／観測対象対応表１９０１から、更新された観測対象１０５ａ〜１０５ｃに関連付けられた携帯端末１０１の識別子を取得するとともに、位置情報定義部３０５に保持されているエリア定義表１７０１から、観測対象１０５ａ〜１０５ｃの位置情報に対応したエリア情報を取得する（ステップＳ６０２）。
【００３９】
そして、情報配信サーバ１０２は、情報配信部３０２に保持されている配信情報表１８０１から、エリア情報による条件に合致する配信内容を取得し、その情報を通信ネットワーク１０４を介して携帯端末１０１に配信する（ステップＳ６０３）。
これにより、情報受信者本人以外の他の観測対象１０５ａ〜１０５ｃの位置情報に基づいた情報を情報受信者にリアルタイムに配信することが可能となり、情報受信者は情報受信者本人以外に関連する情報を迅速に取得することが可能となる。
【００４０】
図７は、本発明の第１実施形態に係る情報配信システムにおける情報配信サーバによる情報配信方法のその他の例を示すフローチャートである。
図７において、携帯端末１０１は通信ネットワーク１０４を介して情報配信サーバ１０２と通信を行うことで、特定の観測対象１０５ａ〜１０５ｃの位置情報を要求する（ステップＳ７０１）。
【００４１】
そして、情報配信サーバ１０２は、特定の観測対象１０５ａ〜１０５ｃの位置情報が携帯端末１０１から要求されると、携帯端末１０１から位置情報が要求された観測対象１０５ａ〜１０５ｃの識別子を用いて位置情報保持部３０４を検索することにより、携帯端末１０１から位置情報が要求された観測対象１０５ａ〜１０５ｃの最新の位置情報を取得する（ステップＳ７０２）。
そして、情報配信サーバ１０２は、観測対象１０５ａ〜１０５ｃの最新の位置情報に基づいて、位置情報定義部３０５に保持されているエリア定義表１７０１を検索し、観測対象１０５ａ〜１０５ｃの最新の位置情報に対応したエリア情報をエリア定義表１７０１から取得する（ステップＳ７０３）。
【００４２】
そして、情報配信サーバ１０２は、情報配信部３０２に保持されている配信情報表１８０１から、エリア情報による条件に合致する配信内容を取得し、観測対象１０５ａ〜１０５ｃの最新の位置情報とともに、配信情報表１８０１から取得した情報を通信ネットワーク１０４を介して携帯端末１０１に配信する（ステップＳ７０４）。
これにより、情報受信者本人以外の他の観測対象１０５ａ〜１０５ｃの位置情報に基づいた情報を情報受信者の要求に応じて配信することが可能となり、情報受信者は情報受信者本人以外に関連する情報を必要に応じて取得することが可能となる。
【００４３】
図８は、本発明の第１実施形態に係る情報配信システムにおける情報配信サーバによる情報配信方法のさらにその他の例を示すフローチャートである。
図８において、情報配信サーバ１０２は、位置情報保持部３０４に保持されている検知履歴表２００１から、特定期間の観測対象１０５ａ〜１０５ｃの位置情報を取得する（ステップＳ８０１）。
そして、情報配信サーバ１０２は、携帯端末情報保持部３０３に保持されている携帯端末／観測対象対応表１９０１から、更新された観測対象１０５ａ〜１０５ｃに関連付けられた携帯端末１０１の識別子を取得するとともに、位置情報定義部３０５に保持されているエリア定義表１７０１から、エリア情報を取得する（ステップＳ８０２）。
【００４４】
そして、情報配信サーバ１０２は、情報配信部３０２に保持されている配信情報表１８０１から、エリア情報による条件に合致する配信内容を取得し、その情報を通信ネットワーク１０４を介して携帯端末１０１に配信する（ステップＳ８０３）。
これにより、情報受信者本人以外の他の観測対象１０５ａ〜１０５ｃの位置情報に基づいた情報の履歴を配信することが可能となり、情報受信者は情報受信者本人以外に関連する情報をまとめて取得することが可能となる。
なお、特定期間は、ある特定の時刻やある特定の日などのどのような期間であってもよい。また、特定期間の観測対象１０５ａ〜１０５ｃの位置情報は、定期的に取得するようにしてもよいし、指定された日時に取得するようにしてもよいし、システム管理者側が実行の指示を出したのを契機として取得するようにしてもよい。
【００４５】
図９は、本発明の第２実施形態に係る情報配信システムの概略構成を示すブロック図である。
図９において、測位ノード９０３ａ〜９０３ｃには、自己の位置を測位する機能がそれぞれ設けられ、観測対象９０５ａ〜９０５ｃがそれぞれ付随している。そして、測位ノード９０３ａ〜９０３ｃは基地局９０６ａ〜９０６ｃを介して情報配信サーバ９０２と通信を行うことができる。
また、情報配信サーバ９０２は通信ネットワーク９０４に接続され、携帯端末９０１は、基地局９０７を介して通信ネットワーク９０４に接続することができる。そして、携帯端末９０１は、通信ネットワーク９０４を介して情報配信サーバ９０２と通信を行うことができる。
【００４６】
なお、測位ノード９０３ａ〜９０３ｃとしては、自己の位置を測位し、その位置情報を情報配信サーバ９０２に送信する機能が搭載されたものなら何でもよく、例えば、ＧＰＳ機能が搭載された移動端末を用いることができる。また、観測対象９０５ａ〜９０５ｃとしては、測位ノード９０３ａ〜９０３ｃに付随するものならば何でもよく、例えば、測位ノード９０３ａ〜９０３ｃの保持者や測位ノード９０３ａ〜９０３ｃが搭載された自動車などでもよい。また、通信ネットワーク１０４としては、例えば、インターネットや公衆電話網やＬＡＮなどを挙げることができる。また、携帯端末９０１としては、例えば、携帯電話機やＰＤＡ（Ｐｅｒｓｏｎａｌ  Ｄｉｇｉｔａｌ  Ａｓｓｉｓｔａｎｔ）やノート型パーソナルコンピュータなどを用いることができる。
【００４７】
そして、携帯端末９０１は通信ネットワーク９０４を介して情報配信サーバ９０２と通信を行うことで、特定の観測対象９０５ａ〜９０５ｃの位置情報を要求する。そして、情報配信サーバ９０２は、特定の観測対象９０５ａ〜９０５ｃの位置情報が携帯端末９０１から要求されると、測位ノード９０３ａ〜９０３ｃと通信を行うことで、測位ノード９０３ａ〜９０３ｃに観測対象９０５ａ〜９０５ｃの位置情報をそれぞれ要求する。そして、測位ノード９０３ａ〜９０３ｃは、観測対象９０５ａ〜９０５ｃの位置情報が情報配信サーバ９０２から要求されると、自分で測位した自己の位置情報および観測対象９０５ａ〜９０５ｃの識別子を情報配信サーバ９０２にそれぞれ通知する。
【００４８】
そして、情報配信サーバ９０２は、測位ノード９０３ａ〜９０３ｃの位置情報および観測対象９０５ａ〜９０５ｃの識別子を測位ノード９０３ａ〜９０３ｃからそれぞれ受け取ると、測位ノード９０３ａ〜９０３ｃに付随する観測対象９０５ａ〜９０５ｃの識別子と、携帯端末９０１から位置情報の要求があった特定の観測対象９０５ａ〜９０５ｃの識別子とをそれぞれ比較することで、測位ノード９０３ａ〜９０３ｃに付随する観測対象９０５ａ〜９０５ｃが、携帯端末９０１から位置情報の要求があった特定の観測対象９０５ａ〜９０５ｃと一致しているかどうかを判断する。
【００４９】
そして、情報配信サーバ９０２は、測位ノード９０３ａ〜９０３ｃに付随する観測対象９０５ａ〜９０５ｃが、携帯端末９０１から位置情報の要求があった特定の観測対象９０５ａ〜９０５ｃと一致している場合、その特定の観測対象９０５ａ〜９０５ｃに関する情報を検索し、その特定の観測対象９０５ａ〜９０５ｃに関する情報を通信ネットワーク９０４を介して携帯端末９０１に配信することができる。
【００５０】
あるいは、測位ノード９０３ａ〜９０３ｃは、自己の位置情報をそれぞれ測位するとともに、自分に付随する観測対象９０５ａ〜９０５ｃの識別子をそれぞれ取得し、測位ノード９０３ａ〜９０３ｃの位置情報および観測対象９０５ａ〜９０５ｃの識別子をそれぞれ情報配信サーバ９０２に随時通知することができる。そして、情報配信サーバ９０２は、測位ノード９０３ａ〜９０３ｃの位置情報および観測対象９０５ａ〜９０５ｃの識別子を測位ノード９０３ａ〜９０３ｃからそれぞれ受け取ると、測位ノード９０３ａ〜９０３ｃに付随する観測対象９０５ａ〜９０５ｃに関連付けられた携帯端末９０１があるかどうかを調べる。そして、情報配信サーバ９０２は、測位ノード９０３ａ〜９０３ｃにそれぞれ付随する観測対象９０５ａ〜９０５ｃに関連付けられた携帯端末９０１がある場合、その観測対象９０５ａ〜９０５ｃに関する情報を検索し、その観測対象９０５ａ〜９０５ｃに関する情報を通信ネットワーク９０４を介して携帯端末９０１に配信することができる。
【００５１】
これにより、自己の位置を測位することで、情報受信者本人以外の位置情報を情報配信サーバ９０２に通知することが可能となるとともに、情報受信者本人以外の他の観測対象９０５ａ〜９０５ｃの位置情報に基づいた情報を情報配信サーバ９０２から情報受信者に配信することが可能となり、情報受信者は情報受信者本人以外に関連する情報を取得することが可能となる。
【００５２】
図１０は、本発明の第２実施形態に係る情報配信システムにおける携帯端末の概略構成を示すブロック図である。
図１０において、携帯端末９０１には、通信ネットワーク９０４を介して情報配信サーバ９０２と通信を行う通信部１００１および通信部１００１を介して受信した観測対象９０５ａ〜９０５ｃに関する情報を表示する画面表示部１００２が設けられている。
そして、携帯端末９０１は、通信部１００１を介して観測対象９０５ａ〜９０５ｃに関する情報を受信すると、その観測対象９０５ａ〜９０５ｃに関する情報を画面表示部１００２に表示することができる。
【００５３】
図１１は、本発明の第２実施形態に係る情報配信システムにおける測位ノードの概略構成を示すブロック図である。
図１１において、測位ノード９０３ａ〜９０３ｃには、情報配信サーバ９０２と通信を行う通信部１２０１および自己の位置情報を測位する位置情報測位部１２０２がそれぞれ設けられている。
そして、測位ノード９０３ａ〜９０３ｃは、自己の位置情報を測位すると、自己の位置情報を自己に付随する観測対象９０５ａ〜９０５ｃの識別子とともに通信部１２０１を介して情報配信サーバ９０２に通知することができる。
【００５４】
図１２は、本発明の第２実施形態に係る情報配信システムにおける情報配信サーバの概略構成を示すブロック図である。
図１２において、情報配信サーバ９０２には、通信ネットワーク９０４を介して携帯端末９０１と通信を行ったり、測位ノード９０３ａ〜９０３ｃと通信を行ったりする通信部１１０１、測位ノード９０３ａ〜９０３ｃの位置情報をそれぞれ観測対象９０５ａ〜９０５ｃの位置情報として保持する位置情報保持部１１０４、観測対象９０５ａ〜９０５ｃとそれぞれ関連付けられた携帯端末９０１に関する情報を保持する携帯端末情報保持部１１０３、観測対象９０５ａ〜９０５ｃに関する情報を観測対象９０５ａ〜９０５ｃとそれぞれ関連付けられた携帯端末９０１に配信する情報配信部１１０２、観測対象９０５ａ〜９０５ｃの位置情報に対応するエリアを定義する位置情報定義部１１０５が設けられている。
【００５５】
そして、情報配信サーバ９０２は、観測対象９０５ａ〜９０５ｃの位置情報を測位ノード９０３ａ〜９０３ｃから受信すると、その観測対象９０５ａ〜９０５ｃの位置情報を位置情報保持部１１０４に保持する。そして、情報配信部１１０２は、エリア定義表１７０１を参照することにより、観測対象９０５ａ〜９０５ｃの位置情報に対応するエリア情報を検索し、そのエリア情報による条件に対応した情報を携帯端末９０１に配信することができる。
【００５６】
なお、情報配信部１１０２は、観測対象９０５ａ〜９０５ｃに関する情報を携帯端末１０５に配信する場合、自己の位置情報が測位ノード９０３ａ〜９０３ｃにて更新されるごとに、観測対象９０５ａ〜９０５ｃに関する情報を、その観測対象９０５ａ〜９０５ｃと関連付けられた携帯端末９０１に随時配信することができる。
あるいは、情報配信部１１０２は、携帯端末９０１からに要求に応じて、観測対象９０５ａ〜９０５ｃに関する情報をその携帯端末９０１に随時配信するようにしてもよい。
あるいは、情報配信部１１０２は、観測対象９０５ａ〜９０５ｃの位置の履歴に応じて、観測対象９０５ａ〜９０５ｃに関する情報を、その観測対象９０５ａ〜９０５ｃと関連付けられた携帯端末９０１に配信するようにしてもよい。
【００５７】
図１３は、本発明の第２実施形態に係る情報配信システムにおける情報配信サーバによる観測対象の位置情報の記録方法を示すフローチャートである。
図１３において、図９の測位ノード９０３ａ〜９０３ｃは、自己の位置情報を観測対象９０５ａ〜９０５ｃの位置情報として測位する（ステップＳ１３０１）。
そして、測位ノード９０３ａ〜９０３ｃは、観測対象９０５ａ〜９０５ｃの位置情報および観測対象９０５ａ〜９０５ｃの識別子をそれぞれ情報配信サーバ９０２に通知する（ステップＳ１３０２）。
【００５８】
そして、情報配信サーバ９０２は、観測対象９０５ａ〜９０５ｃの位置情報および観測対象９０５ａ〜９０５ｃの識別子を測位ノード９０３ａ〜９０３ｃからそれぞれ受け取ると、観測対象９０５ａ〜９０５ｃの識別子をその位置情報および現在時刻とともに検知履歴表２００１として位置情報保持部１１０４に登録する（ステップＳ１３０３）。
なお、検知履歴表２００１の更新は、観測対象９０５ａ〜９０５ｃの位置情報が測位ノード９０３ａ〜９０３ｃにて更新されるごとに実行してもよいし、定期的に実行してもよい。
【００５９】
図１４は、本発明の第２実施形態に係る情報配信システムにおける情報配信サーバによる情報配信方法の一例を示すフローチャートである。
図１４において、情報配信サーバ９０２は、位置情報保持部１１０４に保持されている検知履歴表２００１の更新を検出すると（ステップＳ１４０１）、携帯端末情報保持部１１０３に保持されている携帯端末／観測対象対応表１９０１から、更新された観測対象９０５ａ〜９０５ｃに関連付けられた携帯端末９０１の識別子を取得するとともに、位置情報定義部１１０５に保持されているエリア定義表１７０１から、観測対象９０５ａ〜９０５ｃの位置情報に対応したエリア情報を取得する（ステップＳ１４０２）。
【００６０】
そして、情報配信サーバ９０２は、情報配信部１１０２に保持されている配信情報表１８０１から、エリア情報による条件に合致する配信内容を取得し、その情報を通信ネットワーク９０４を介して携帯端末９０１に配信する（ステップＳ１４０３）。
これにより、観測対象９０５ａ〜９０５ｃそれ自体の位置の検出機能が設けられていない場合においても、情報受信者本人以外の他の観測対象９０５ａ〜９０５ｃの位置情報に基づいた情報を情報受信者にリアルタイムに配信することが可能となり、情報受信者は情報受信者本人以外に関連する情報を迅速に取得することが可能となる。
【００６１】
図１５は、本発明の第２実施形態に係る情報配信システムにおける情報配信サーバによる情報配信方法のその他の例を示すフローチャートである。
図１５において、携帯端末９０１は通信ネットワーク９０４を介して情報配信サーバ９０２と通信を行うことで、特定の観測対象９０５ａ〜９０５ｃの位置情報を要求する（ステップＳ１５０１）。
【００６２】
そして、情報配信サーバ９０２は、特定の観測対象９０５ａ〜９０５ｃの位置情報が携帯端末９０１から要求されると、携帯端末９０１から位置情報が要求された観測対象９０５ａ〜９０５ｃの識別子を用いて位置情報保持部１１０４を検索することにより、携帯端末９０１から位置情報が要求された観測対象９０５ａ〜９０５ｃの最新の位置情報を取得する（ステップＳ１５０２）。
【００６３】
そして、情報配信サーバ９０２は、観測対象９０５ａ〜９０５ｃの最新の位置情報に基づいて、位置情報定義部１１０５に保持されているエリア定義表１７０１を検索し、観測対象９０５ａ〜９０５ｃの最新の位置情報に対応したエリア情報をエリア定義表１７０１から取得する（ステップＳ１５０３）。
そして、情報配信サーバ９０２は、情報配信部１１０２に保持されている配信情報表１８０１から、エリア情報による条件に合致する配信内容を取得し、観測対象９０５ａ〜９０５ｃの最新の位置情報とともに、配信情報表１８０１から取得した情報を通信ネットワーク９０４を介して携帯端末９０１に配信する（ステップＳ１５０４）。
【００６４】
これにより、観測対象９０５ａ〜９０５ｃそれ自体の位置の検出機能が設けられていない場合においても、情報受信者本人以外の他の観測対象９０５ａ〜９０５ｃの位置情報に基づいた情報を情報受信者の要求に応じて配信することが可能となり、情報受信者は情報受信者本人以外に関連する情報を必要に応じて取得することが可能となる。
【００６５】
図１６は、本発明の第２実施形態に係る情報配信システムにおける情報配信サーバによる情報配信方法のさらにその他の例を示すフローチャートである。
図１６において、情報配信サーバ９０２は、位置情報保持部１１０４に保持されている検知履歴表２００１から、特定期間の観測対象９０５ａ〜９０５ｃの位置情報を取得する（ステップＳ１６０１）。
【００６６】
そして、情報配信サーバ９０２は、携帯端末情報保持部１１０３に保持されている携帯端末／観測対象対応表１９０１から、更新された観測対象９０５ａ〜９０５ｃに関連付けられた携帯端末９０１の識別子を取得するとともに、位置情報定義部１１０５に保持されているエリア定義表１７０１から、エリア情報を取得する（ステップＳ１６０２）。
そして、情報配信サーバ９０２は、情報配信部１１０２に保持されている配信情報表１８０１から、エリア情報による条件に合致する配信内容を取得し、その情報を通信ネットワーク９０４を介して携帯端末９０１に配信する（ステップＳ１６０３）。
【００６７】
これにより、観測対象９０５ａ〜９０５ｃそれ自体の位置の検出機能が設けられていない場合においても、情報受信者本人以外の他の観測対象９０５ａ〜９０５ｃの位置情報に基づいた情報の履歴を配信することが可能となり、情報受信者は情報受信者本人以外に関連する情報をまとめて取得することが可能となる。
なお、特定期間は、ある特定の時刻やある特定の日などのどのような期間であってもよい。また、特定期間の観測対象９０５ａ〜９０５ｃの位置情報は、定期的に取得するようにしてもよいし、指定された日時に取得するようにしてもよいし、システム管理者側が実行の指示を出したのを契機として取得するようにしてもよい。
【図面の簡単な説明】
【００６８】
【図１】本発明の第１実施形態に係る情報配信システムの概略構成を示すブロック図である。
【図２】本発明の第１実施形態に係る情報配信システムにおける携帯端末の概略構成を示すブロック図である。
【図３】本発明の第１実施形態に係る情報配信システムにおける位置検出ノードの概略構成を示すブロック図である。
【図４】本発明の第１実施形態に係る情報配信システムにおける情報配信サーバの概略構成を示すブロック図である。
【図５】本発明の第１実施形態に係る情報配信システムにおける情報配信サーバによる観測対象の位置情報の記録方法を示すフローチャートである。
【図６】本発明の第１実施形態に係る情報配信システムにおける情報配信サーバによる情報配信方法の一例を示すフローチャートである。
【図７】本発明の第１実施形態に係る情報配信システムにおける情報配信サーバによる情報配信方法のその他の例を示すフローチャートである。
【図８】本発明の第１実施形態に係る情報配信システムにおける情報配信サーバによる情報配信方法のさらにその他の例を示すフローチャートである。
【図９】本発明の第２実施形態に係る情報配信システムの概略構成を示すブロック図である。
【図１０】本発明の第２実施形態に係る情報配信システムにおける携帯端末の概略構成を示すブロック図である。
【図１１】本発明の第２実施形態に係る情報配信システムにおける測位ノードの概略構成を示すブロック図である。
【図１２】本発明の第２実施形態に係る情報配信システムにおける情報配信サーバの概略構成を示すブロック図である。
【図１３】本発明の第２実施形態に係る情報配信システムにおける情報配信サーバによる観測対象の位置情報の記録方法を示すフローチャートである。
【図１４】本発明の第２実施形態に係る情報配信システムにおける情報配信サーバによる情報配信方法の一例を示すフローチャートである。
【図１５】本発明の第２実施形態に係る情報配信システムにおける情報配信サーバによる情報配信方法のその他の例を示すフローチャートである。
【図１６】本発明の第２実施形態に係る情報配信システムにおける情報配信サーバによる情報配信方法のさらにその他の例を示すフローチャートである。
【図１７】本発明の一実施形態に係るエリア定義表の一例を示す図である。
【図１８】本発明の一実施形態に係る配信情報表の一例を示す図である。
【図１９】本発明の一実施形態に係る携帯端末／観測対象対応表の一例を示す図である。
【図２０】本発明の一実施形態に係る検知履歴表の一例を示す図である。
【符号の説明】
【００６９】
１０１、９０１  携帯端末
１０２、９０２  情報配信サーバ
１０３ａ〜１０３ｃ  位置検出ノード
１０４、９０４  通信ネットワーク
１０５ａ〜１０５ｃ、９０５ａ〜９０５ｃ  観測対象
１０６ａ〜１０６ｃ  検出エリア
１０７、９０６ａ〜９０６ｃ、９０７  基地局
２０１、３０１、４０１、１００１、１１０１、１２０１  通信部
２０２、１００２  画面表示部
３０２、１１０２  情報配信部
３０３、１１０３  携帯端末情報保持部
３０４、１１０４  位置情報保持部
３０５、１１０５  位置情報定義部
４０２  観測対象検知部
９０３ａ〜９０３ｃ  測位ノード
１２０２  位置情報測位部
１７０１  配信情報表
１８０１  エリア定義表
１９０１  携帯端末／観測対象対応表
２００１  検知履歴表
【図１】
2008187225.tif 000003
【図２】
2008187225.tif 000004
【図３】
2008187225.tif 000005
【図４】
2008187225.tif 000006
【図５】
2008187225.tif 000007
【図６】
2008187225.tif 000008
【図７】
2008187225.tif 000009
【図８】
2008187225.tif 000010
【図９】
2008187225.tif 000011
【図１０】
2008187225.tif 000012
【図１１】
2008187225.tif 000013
【図１２】
2008187225.tif 000014
【図１３】
2008187225.tif 000015
【図１４】
2008187225.tif 000016
【図１５】
2008187225.tif 000017
【図１６】
2008187225.tif 000018
【図１７】
2008187225.tif 000019
【図１８】
2008187225.tif 000020
【図１９】
2008187225.tif 000021
【図２０】
2008187225.tif 000022